(57)【要約】  タッチジェスチャ判定装置１１０は、操作情報入力部１１と、操作判定部１２と、通知部１３と、表示制御部１４とを有し、操作判定部１２は、表示部品入力判定部１２ａと、画面全体入力判定部１２ｂと、操作モード切り替え判定部１２ｃとを有し、画面全体入力判定部１２ｂは、ジェスチャモード判定部１１３を有する。ジェスチャモード判定部１１３は、タッチジェスチャ操作がスライダージェスチャであると判定された場合、スライダーモードのパラメータによりモード逸脱判定を行い、タッチジェスチャ操作がダイヤルジェスチャであると判定された場合、ダイヤルモードのパラメータによりモード逸脱判定を行う。
2018167865.tif 000002
【特許請求の範囲】
【請求項１】
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定装置であって、
前記タッチジェスチャ判定装置は、
前記操作情報に基づいて、前記タッチパネルの表示のための出力情報を生成する操作判定部と、
前記出力情報を受け取り、前記タッチパネルに前記操作用画像として前記出力情報に応じた画像を表示させる表示制御部と、を有し、
前記操作判定部は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、
前記画面全体入力判定部は、
前記タッチジェスチャ操作のジェスチャモードが第１のジェスチャモードであるか第２のジェスチャモードであるかを判定するジェスチャモード判定部と、
前記第１のジェスチャモードに関する第１のパラメータと、
前記第２のジェスチャモードに関し、前記第１のパラメータと異なる第２のパラメータと、を有し、
前記ジェスチャモード判定部は、
前記タッチジェスチャ操作のジェスチャモードが前記第１のジェスチャモードであると判定した場合には前記第１のパラメータを用いて前記第１のジェスチャモードからの逸脱を判定するモード逸脱判定を行い、前記タッチジェスチャ操作のジェスチャモードが前記第２のジェスチャモードであると判定した場合には前記第２のパラメータを用いて前記第２のジェスチャモードからの逸脱を判定するモード逸脱判定を行う
ことを特徴とするタッチジェスチャ判定装置。
【請求項２】
前記モード逸脱判定は、前記タッチジェスチャ操作のジェスチャモードの前記判定から予め定められた時間が経過した後に行われる
ことを特徴とする請求項１に記載のタッチジェスチャ判定装置。
【請求項３】
前記画面全体入力判定部は、ジェスチャモード以外の操作に関するパラメータである第３のパラメータをさらに有し、
前記ジェスチャモード判定部は、
前記ユーザがジェスチャモード中であるか否かの判定を行い、前記ユーザがジェスチャモード中ではないと判定した場合には、前記第３のパラメータを用いてモード逸脱判定を行う
ことを特徴とする請求項１又は２に記載のタッチジェスチャ判定装置。
【請求項４】
前記第１から第３のパラメータは、
前記タッチジェスチャ操作の予め定められた時間における移動量、前記タッチジェスチャ操作の速度、曲率、又はタッチ時間
のいずれか１つ又は２つ以上の組み合わせに基づいて定められる
ことを特徴とする請求項３に記載のタッチジェスチャ判定装置。
【請求項５】
前記操作判定部は、
前記タッチパネルに前記操作用画像として表示された表示部品に対して行われたタッチジェスチャ操作に基づいて入力内容を識別する表示部品入力モードにおいて行われたタッチジェスチャ操作に対応する操作情報から前記出力情報を決定する表示部品入力判定部と、
前記表示部品入力モードと前記画面全体入力モードとを切り替える操作モード切り替え部と、をさらに有する
ことを特徴とする請求項１から４のいずれか１項に記載のタッチジェスチャ判定装置。
【請求項６】
前記タッチパネルから出力された前記操作情報を受け取り、受け取った前記操作情報に対応する入力情報を前記操作判定部に出力する操作情報入力部を更に有する
ことを特徴とする請求項１から５のいずれか１項に記載のタッチジェスチャ判定装置。
【請求項７】
前記出力情報に従う通知内容の通知を発し、又は前記出力情報に従う通知内容の通知信号を出力する通知部を更に有する
ことを特徴とする請求項１から６のいずれか１項に記載のタッチジェスチャ判定装置。
【請求項８】
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定方法であって、
前記タッチジェスチャ判定方法は、
前記操作情報に基づいて、前記タッチパネルの表示のための出力情報を生成する操作判定ステップと、
前記出力情報を受け取り、前記タッチパネルに前記操作用画像として前記出力情報に応じた画像を表示させる表示制御ステップと、を有し、
前記操作判定ステップは、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定ステップを有し、
前記画面全体入力判定ステップは、
前記タッチジェスチャ操作のジェスチャモードが第１のジェスチャモードであるか第２のジェスチャモードであるかを判定するジェスチャモード判定ステップを有し、
前記ジェスチャモード判定ステップは、
前記第１のジェスチャモードに関する第１のパラメータと、
前記第２のジェスチャモードに関し、前記第１のパラメータと異なる第２のパラメータとから、
前記タッチジェスチャ操作のジェスチャモードが前記第１のジェスチャモードであると判定した場合には前記第１のパラメータを用いて前記第１のジェスチャモードからの逸脱を判定するモード逸脱判定を行い、前記タッチジェスチャ操作のジェスチャモードが前記第２のジェスチャモードであると判定した場合には前記第２のパラメータを用いて前記第２のジェスチャモードからの逸脱を判定するモード逸脱判定を行う
ことを特徴とするタッチジェスチャ判定方法。
【請求項９】
コンピュータに、
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するために、
前記操作情報に基づいて、前記タッチパネルの表示のための出力情報を生成する操作判定処理と、
前記出力情報を受け取り、前記タッチパネルに前記操作用画像として前記出力情報に応じた画像を表示させる表示制御処理と、を実行させ、
前記操作判定処理は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定処理を有し、
前記画面全体入力判定処理は、
前記タッチジェスチャ操作のジェスチャモードが第１のジェスチャモードであるか第２のジェスチャモードであるかを判定するジェスチャモード判定処理を有し、
前記ジェスチャモード判定処理は、
前記第１のジェスチャモードに関する第１のパラメータと、
前記第２のジェスチャモードに関し、前記第１のパラメータと異なる第２のパラメータとから、
前記タッチジェスチャ操作のジェスチャモードが前記第１のジェスチャモードであると判定した場合には前記第１のパラメータを用いて前記第１のジェスチャモードからの逸脱を判定するモード逸脱判定処理と、前記タッチジェスチャ操作のジェスチャモードが前記第２のジェスチャモードであると判定した場合には前記第２のパラメータを用いて前記第２のジェスチャモードからの逸脱を判定するモード逸脱判定処理とを行う
ことを特徴とするタッチジェスチャ判定プログラム。
【請求項１０】
画面に操作用画像を表示し、ユーザのタッチジェスチャ操作を受け付け、前記タッチジェスチャ操作に対応する操作情報を出力するタッチパネルと、
前記操作情報を受け取り、前記操作情報に基づいて前記タッチパネルの表示を制御するタッチジェスチャ判定装置と
を有するタッチパネル入力装置であって、
前記タッチジェスチャ判定装置は、
前記操作情報に基づいて、前記タッチパネルの表示のための出力情報を生成する操作判定部と、
前記出力情報を受け取り、前記タッチパネルに前記操作用画像として前記出力情報に応じた画像を表示させる表示制御部と、を有し、
前記操作判定部は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、
前記画面全体入力判定部は、
前記タッチジェスチャ操作のジェスチャモードが第１のジェスチャモードであるか第２のジェスチャモードであるかを判定するジェスチャモード判定部と、
前記第１のジェスチャモードに関する第１のパラメータと、
前記第２のジェスチャモードに関し、前記第１のパラメータと異なる第２のパラメータと、を有し、
前記ジェスチャモード判定部は、
前記タッチジェスチャ操作のジェスチャモードが前記第１のジェスチャモードであると判定した場合には前記第１のパラメータを用いて前記第１のジェスチャモードからの逸脱を判定するモード逸脱判定を行い、前記タッチジェスチャ操作のジェスチャモードが前記第２のジェスチャモードであると判定した場合には前記第２のパラメータを用いて前記第２のジェスチャモードからの逸脱を判定するモード逸脱判定を行う
ことを特徴とするタッチパネル入力装置。
【請求項１１】
前記タッチパネルは、
前記タッチジェスチャ操作を受け付け、前記タッチジェスチャ操作に対応する前記操作情報を出力する操作パネル部と、前記操作パネル部と重ねて配置され、前記画面に前記操作用画像を表示する表示パネル部とを有する
ことを特徴とする請求項１０に記載のタッチパネル入力装置。
【発明の詳細な説明】
【技術分野】
【０００１】
本発明は、タッチジェスチャ操作に対応する操作情報が入力され、入力された操作情報に基づく信号を出力するためのタッチジェスチャ判定装置、タッチジェスチャ判定方法、及びタッチジェスチャ判定プログラム、並びに、タッチジェスチャ操作を受け付け、タッチジェスチャ操作に基づく信号を出力するタッチパネル入力装置に関する。
【背景技術】
【０００２】
タッチ操作などでタッチパネルに情報を入力するときに、２つの異なるジェスチャの操作が似ている場合（たとえば２点タッチでのスライダー操作と、２点タッチでのダイヤル操作など）には、１つのジェスチャ操作中に、他のジェスチャと誤判定されてしまい、正しく入力が行えない場合がある。【０００３】
特許文献１には、３次元空間で行うジェスチャで、過去のジェスチャ操作履歴を利用し、そのジェスチャ操作が切り替わったタイミングからの相対的な動きを元に、次のジェスチャ操作に切り替わったかを判定する方法が開示されている。
【先行技術文献】
【特許文献】
【０００４】
【特許文献１】特表２０１２−５２８４０５号公報
【発明の概要】
【発明が解決しようとする課題】
【０００５】
しかしながら、特許文献１には、あるモードに切り替わったときの状態を初期とし、そこからの回転角度及び移動量を判定しているが、その初期状態からの閾値を変更することについては記載されていない。そのため、あるモードでのジェスチャ操作中に、他のモードのジェスチャと誤認識されてしまう問題があった。【０００６】
本発明は、上記の問題点を解決するためになされたものであり、あるモードでのジェスチャ操作中に、他のモードのジェスチャと誤認識されることを防ぎ、ジェスチャでの入力操作を容易とすることを目的とする。
【課題を解決するための手段】
【０００７】
本発明の一態様に係るタッチジェスチャ判定装置は、画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定装置であって、前記タッチジェスチャ判定装置は、前記操作情報に基づいて、前記タッチパネルの表示のための出力情報を生成する操作判定部と、前記出力情報を受け取り、前記タッチパネルに前記操作用画像として前記出力情報に応じた画像を表示させる表示制御部とを有し、前記操作判定部は、前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、前記画面全体入力判定部は、前記タッチジェスチャ操作のジェスチャモードが第１のジェスチャモードであるか第２のジェスチャモードであるかを判定するジェスチャモード判定部と、前記第１のジェスチャモードに関する第１のパラメータと、前記第２のジェスチャモードに関し、前記第１のパラメータと異なる第２のパラメータと、を有し、前記ジェスチャモード判定部は、前記タッチジェスチャ操作のジェスチャモードが前記第１のジェスチャモードであると判定した場合には前記第１のパラメータを用いて前記第１のジェスチャモードからの逸脱を判定するモード逸脱判定を行い、前記タッチジェスチャ操作のジェスチャモードが前記第２のジェスチャモードであると判定した場合には前記第２のパラメータを用いて前記第２のジェスチャモードからの逸脱を判定するモード逸脱判定を行うことを特徴とする。【０００８】
本発明の他の態様に係るタッチジェスチャ判定方法は、画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定方法であって、前記タッチジェスチャ判定方法は、前記操作情報に基づいて、前記タッチパネルの表示のための出力情報を生成する操作判定ステップと、前記出力情報を受け取り、前記タッチパネルに前記操作用画像として前記出力情報に応じた画像を表示させる表示制御ステップと、を有し、前記操作判定ステップは、前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定ステップを有し、前記画面全体入力判定ステップは、前記タッチジェスチャ操作のジェスチャモードが第１のジェスチャモードであるか第２のジェスチャモードであるかを判定するジェスチャモード判定ステップを有し、前記ジェスチャモード判定ステップは、前記第１のジェスチャモードに関する第１のパラメータと、前記第２のジェスチャモードに関し、前記第１のパラメータと異なる第２のパラメータとから、前記タッチジェスチャ操作のジェスチャモードが前記第１のジェスチャモードであると判定した場合には前記第１のパラメータを用いて前記第１のジェスチャモードからの逸脱を判定するモード逸脱判定を行い、前記タッチジェスチャ操作のジェスチャモードが前記第２のジェスチャモードであると判定した場合には前記第２のパラメータを用いて前記第２のジェスチャモードからの逸脱を判定するモード逸脱判定を行うことを特徴とする。【０００９】
本発明の他の態様に係るタッチパネル入力装置は、画面に操作用画像を表示し、ユーザのタッチジェスチャ操作を受け付け、前記タッチジェスチャ操作に対応する操作情報を出力するタッチパネルと、前記操作情報を受け取り、前記操作情報に基づいて前記タッチパネルの表示を制御するタッチジェスチャ判定装置とを有するタッチパネル入力装置であって、前記タッチジェスチャ判定装置は、前記操作情報に基づいて、前記タッチパネルの表示のための選択値を生成する操作判定部と、前記選択値を受け取り、前記タッチパネルに前記操作用画像として前記選択値に応じた画像を表示させる表示制御部と、を有し、前記操作判定部は、前記タッチパネルに前記操作用画像として表示された表示部品に対して行われたタッチジェスチャ操作に基づいて入力内容を識別する表示部品入力モードと、前記タッチパネルの画面全体に対して行われたタッチジェスチャ操作に基づいて入力内容を識別する画面全体入力モードと、を切り替える操作モード切り替え判定部と、前記表示部品入力モードにおいて前記操作情報から前記選択値を決定する表示部品入力判定部と、前記画面全体入力モードにおいて前記操作情報から前記選択値を決定する画面全体入力判定部と、を有し、前記画面全体入力判定部は、前記タッチジェスチャ操作のジェスチャモードの種類が第１のジェスチャモードであるか第２のジェスチャモードであるかを判定するジェスチャモード判定部と、前記第１のジェスチャモードに関する第１のパラメータと、前記第２のジェスチャモードに関する第２のパラメータと、を有し、前記ジェスチャモード判定部は、前記タッチジェスチャ操作のジェスチャモードの種類が前記第１のジェスチャモードであると判定した場合には前記第１のパラメータを用いてモード逸脱判定を行い、前記タッチジェスチャ操作のジェスチャモードの種類が前記第２のジェスチャモードであると判定した場合には前記第２のパラメータを用いてモード逸脱判定を行うことを特徴とする。
【発明の効果】
【００１０】
本発明によれば、あるモードでのジェスチャ操作中に、他のモードのジェスチャと誤認識されることを防ぎ、ジェスチャでの入力操作を容易とすることができる。
【図面の簡単な説明】
【００１１】
【図１】本発明の実施の形態に係るタッチパネル入力装置の概略構成を示す機能ブロック図である。
【図２】実施の形態における画面全体入力判定部の概略構成を示す機能ブロック図である。
【図３】実施の形態に係るタッチパネル入力装置のハードウェア（Ｈ／Ｗ）構成の一例を示す図である。
【図４】（ａ）及び（ｂ）は、実施の形態に係るタッチパネル入力装置におけるタッチパネルの画面及びタッチジェスチャ操作の例を示す図である。
【図５】実施の形態に係るタッチパネル入力装置におけるタッチジェスチャ判定装置の動作（タッチジェスチャ判定方法）を示すフローチャートである。
【図６】実施の形態におけるジェスチャモード判定部によるジェスチャモード逸脱判定の動作を示すフローチャートである。
【発明を実施するための形態】
【００１２】
以下に、本発明の実施の形態を、添付図面を参照しながら説明する。以下の説明において、タッチパネル入力装置は、タッチ式の操作用の画面（操作画面）を持つタッチパネルと、タッチパネルにおける操作情報を受け取るタッチジェスチャ判定装置とを具備する。
【００１３】
タッチパネル入力装置は、対象機器に搭載されることにより、又は、対象機器と通信可能に接続されることにより、対象機器としての電気機器の操作画面、対象機器としてのカメラの操作画面、対象機器としての工場設備の操作画面、対象機器としての自動車、船舶、航空機などに搭載される操作画面、対象機器としてのスマートフォン及びタブレット端末などの携帯情報端末の操作画面などに適用可能である。
【００１４】
タッチパネル入力装置は、タッチパネルの操作画面からタッチジェスチャ操作（「タッチ操作」とも言う）によって入力された操作情報に基づく信号（例えば、選択値）を、タッチパネル入力装置を搭載した対象機器、又は、タッチパネル入力装置と通信可能な対象機器に提供することができる。
【００１５】
タッチパネルは、ユーザが行うタッチジェスチャ操作を受け付けるタッチジェスチャ入力手段である。また、タッチジェスチャ操作は、ユーザの指（又は、ユーザの手の平、又は、ユーザの指及び手の平）などの特定の動きによる情報入力操作である。タッチジェスチャ操作は、タッチパネルの操作画面を指で軽く叩く操作であるタップ、タッチパネルの操作画面を指ではじく操作であるフリック、タッチパネルの操作画面を指でなぞる操作（指を滑らす操作）であるスワイプを含むことができる。
【００１６】
また、タッチジェスチャ操作は、タッチパネルにおける表示部品を指で引きずる操作であるドラッグ、タッチパネルの操作画面において複数本の指でつまみながら指の間隔を狭める操作であるピンチイン、タッチパネルの操作画面において複数本の指の間隔を広げる操作であるピンチアウトなどを含むことができる。
【００１７】
また、タッチジェスチャ操作は、２点以上のタッチでダイヤルを回転させるように操作するダイヤルジェスチャ、指をタッチパネルに接触させたまま、指を滑らせるように動かすスライダージェスチャなどを含むことができる。なお、タッチジェスチャ操作は、ペン型の入力補助具であるタッチペンを用いる操作をも含むことができる。
【００１８】
実施の形態．
《１》構成
図１は、本発明の実施の形態に係るタッチパネル入力装置１００の概略構成を示す機能ブロック図である。図２は、実施の形態における画面全体入力判定部１２ｂの概略構成を示す機能ブロック図である。図１に示されるように、実施の形態に係るタッチパネル入力装置１００は、タッチジェスチャ判定装置１１０と、タッチパネル１２０とを有している。タッチジェスチャ判定装置１１０は、実施の形態に係るタッチジェスチャ判定方法及び実施の形態に係るタッチジェスチャ判定プログラムを実行することができる装置である。
【００１９】
図１に示されるように、タッチパネル１２０は、ユーザによって行われるタッチジェスチャ操作を受け付け、タッチジェスチャ操作に対応する操作情報（「タッチ情報」とも言う）Ａ０を出力する操作パネル部１２２と、操作パネル部１２２と重ねて配置され、ＧＵＩ（Ｇｒａｐｈｉｃａｌ  Ｕｓｅｒ  Ｉｎｔｅｒｆａｃｅ）画面などのような操作用画像を表示することができる表示パネル部１２１とを有している。表示パネル部１２１は、例えば、液晶ディスプレイである。
【００２０】
図１に示されるように、タッチジェスチャ判定装置１１０は、操作情報入力部１１と、操作判定部１２と、表示制御部１４とを有している。タッチジェスチャ判定装置１１０は、通知部１３を有していてもよい。
【００２１】
操作情報入力部１１は、操作パネル部１２２から出力された操作情報（操作信号）Ａ０を受け取る。操作情報入力部１１は、受け取った操作情報Ａ０に対応する入力情報Ａ１を操作判定部１２に出力する。入力情報Ａ１は、操作情報Ａ０に対応する情報であり、操作情報Ａ０と同じ情報であってもよい。
【００２２】
操作判定部１２は、操作情報入力部１１から入力情報Ａ１を受け取り、出力情報としての選択値Ａ２を通知部１３及び表示制御部１４に対して出力する。操作判定部１２から出力される選択値Ａ２は、操作判定部１２が入力情報Ａ１を基に決定した選択値であり、この選択値Ａ２を基に、タッチパネル入力装置１００を搭載した装置のアプリケーションプログラム等が、機器制御などを行う。
【００２３】
操作判定部１２は、受け取った入力情報Ａ１から、ユーザによるタッチジェスチャ操作の種類及び内容を判定する。図１に示されるように、操作判定部１２は、表示部品入力判定部１２ａと、画面全体入力判定部１２ｂと、操作モード切り替え判定部１２ｃとを有している。
【００２４】
操作モード切り替え判定部１２ｃは、操作情報入力部１１から受け取った入力情報Ａ１から、入力情報Ａ１に画面の操作モードの切り替えに関する情報が含まれるかを判定する。画面の操作モードには、操作対象とする表示部品を画面内に表示した表示部品操作モードと、画面全体を入力範囲として設定する画面全体操作モードが存在し、これらの操作モードを切り替えることができる。
【００２５】
操作モード切り替え判定部１２ｃは、操作モードの切り替えに関する判定結果から、操作モードを切り替える。操作モード切り替え判定部１２ｃが操作モードを切り替えることにより、操作画面の表示内容、入力方法、及び通知方法が切り替わる。
【００２６】
画面全体入力判定部１２ｂは、画面全体に対するタッチ情報から入力内容を識別し、操作の受付及び選択値Ａ２の決定を担う。図２に示されるように、画面全体入力判定部１２ｂは、モード中パラメータ１１１と、モード中以外のパラメータ１１２と、ジェスチャモード判定部１１３と、ジェスチャ入力情報判定部１１４とを有する。
【００２７】
画面全体に対するタッチ情報の入力内容は、モード中パラメータ１１１と、モード中以外のパラメータ１１２と、ジェスチャモード判定部１１３とにより識別される。モード中パラメータ１１１には、あるモード中に使用する移動量、タッチ時間などのパラメータが格納されている。
【００２８】
モード中パラメータ１１１には、ジェスチャモードの種類ごとに当該ジェスチャモードに関するパラメータが格納されている。図２に示されるように、モード中パラメータ１１１には、例えば、スライダーモードのパラメータ１１１ａと、ダイヤルモードのパラメータ１１１ｂが格納されている。スライダーモードのパラメータ１１１ａと、ダイヤルモードのパラメータ１１１ｂは、タッチジェスチャ操作の予め定められた時間における移動量、タッチジェスチャ操作の速度、曲率、又はタッチ時間のいずれか１つ又は２つ以上の組み合わせに基づいて定められるパラメータである。
【００２９】
なお、モード中パラメータ１１１に格納されるパラメータは、図２に示される例に限定されない。また、モード中以外のパラメータ１１２には、初回操作時など、どのモードでもないときに使用する移動量、タッチ時間などのパラメータが格納されている。
【００３０】
ジェスチャモード判定部１１３は、モード中パラメータ１１１と、モード中以外のパラメータ１１２を参照して、入力されたタッチ情報のジェスチャモードを特定する。ジェスチャ入力情報判定部１１４は、ジェスチャモード判定部１１３で特定されたジェスチャモードでの値設定方式に従って選択値Ａ２を決定する。
【００３１】
表示部品入力判定部１２ａは、画面に表示される表示部品に対するタッチ情報から入力内容を識別し、操作の受付及び選択値Ａ２の決定を担う。
【００３２】
通知部１３は、操作モード切り替え判定部１２ｃの判定結果に従い、操作画面の通知方法を切り替え、また、操作判定部１２により決定した選択値Ａ２の情報を受け、操作の状況を通知する。通知部１３は、選択値Ａ２に従う通知内容の通知を発し、又は通知信号を出力する。
【００３３】
例えば、通知部１３は、操作判定部１２により受け取った入力情報Ａ２に応じて、ユーザのタッチジェスチャ操作の状況を、例えば、音、画面表示、バイブレータによる振動、又はランプ点灯などで通知する。
【００３４】
通知部１３による通知が音による通知である場合には、通知部１３は音声出力部としてのスピーカに通知信号を出力する。スピーカは、後述の図３に示される。通知部１３による通知が画像表示である場合には、通知部１３は通知情報Ａ３を表示制御部１４に送り、表示制御部１４が通知情報Ａ３に基づく画像信号Ａ４をタッチパネル１２０の表示パネル部１２１に送信する。
【００３５】
表示制御部１４は、操作モード切り替え判定部１２ｃの判定結果に従い、操作画面の表示内容を切り替え、また、操作判定部１２により決定した選択値Ａ２の情報を受け、操作結果を画面に反映する。図１に示されるように、表示制御部１４は、タッチパネル１２０の表示パネル部１２１に表示される操作用画像の画像信号Ａ４を表示パネル部１２１に対して出力する。
【００３６】
図３は、実施の形態に係るタッチパネル入力装置１００のハードウェア（Ｈ／Ｗ）構成の一例を示す図である。図３に示されるように、実施の形態に係るタッチパネル入力装置１００は、タッチパネル１２０と、プロセッサ３０１と、メモリ３０２と、スピーカ３０３とを有している。
【００３７】
図１に示されるタッチジェスチャ判定装置１１０は、ソフトウェアとしてのタッチジェスチャ判定プログラムを格納する記憶装置としてのメモリ３０２と、メモリ３０２に格納されたタッチジェスチャ判定プログラムを実行する情報処理部としてのプロセッサ３０１とを用いて（例えば、コンピュータにより）実現することができる。
【００３８】
この場合には、図１における構成要素１１〜１４は、図３においてタッチジェスチャ判定プログラムを実行するプロセッサ３０１に相当する。なお、図１に示されるタッチジェスチャ判定装置１１０の一部を、図２に示されるメモリ３０２と、タッチジェスチャ判定プログラムを実行するプロセッサ３０１とによって実現することもできる。
【００３９】
タッチパネル１２０は、複数の指の接触を検知し、タッチ情報（各指の識別番号、座標、接触状態）をプロセッサ３０１に送信する。プロセッサ３０１は、タッチパネル１２０から取得したタッチ情報をメモリ３０２に記憶し、メモリ３０２に蓄積したタッチの履歴情報を基に、操作画面、入力方法、通知方法を切り替える。
【００４０】
また、プロセッサ３０１は、メモリ３０２に記憶したタッチ情報から、画面全体に対する操作であるか、表示部品に対する操作であるかを判定し、それぞれの操作モードにおいて選択値を決定する。
【００４１】
スピーカ３０３は、例えば、タッチジェスチャ操作状況をアナウンスなど音で通知する場合に使用される音出力部である。タッチパネル入力装置１００は、スピーカ３０３に代えて、又は、追加の構成として、バイブレータ、ランプ、通知信号を無線送信するための送信装置などの追加の装置を備えてもよい。
【００４２】
図４（ａ）及び（ｂ）は、実施の形態に係るタッチパネル入力装置１００におけるタッチパネル１２０の画面及びタッチジェスチャ操作の例を示す図である。図４（ａ）は、表示部品操作モードで表示する画面例４０１を示している。図４（ａ）に示されるように、画面例４０１には、選択値を直接選択するボタン４０２など、操作対象とする様々な部品が表示される。表示部品が表示される領域に対しタッチ入力することにより、対象の部品の操作が可能となる。
【００４３】
図４（ｂ）は、画面全体操作モードで表示する画面例４０３を示している。図４（ｂ）に示されるように、画面例４０３には、現在選択している選択値の表示４０４、画面切り替えのための操作指示を促す表示（例えば、後述するキャンセル領域４０５）などが示される。この画面での入力方法としては、たとえばタップ操作の回数、２点以上のタッチでダイヤルを回転させるようなジェスチャなどで情報を入力する。
【００４４】
図４（ｂ）の画面例４０３の下部には、「＞＞Ｃａｎｃｅｌ＞＞」を囲む矩形領域であるキャンセル領域４０５が示されている。キャンセル領域４０５を選択してスワイプする（予め決められた方向に指を左から右に滑らせる）ことにより、画面全体操作モードをキャンセルして、画面全体操作モードから表示部品操作モードの画面への切り替えを実行することができる。
【００４５】
図５は、実施の形態に係るタッチパネル入力装置１００におけるタッチジェスチャ判定装置１１０の動作（タッチジェスチャ判定方法）を示すフローチャートである。図５に示されるように、ステップＳＴ４０１において、ユーザは、表示部品操作モードでシステムを起動し、各処理部の初期化を実施する。
【００４６】
次のステップＳＴ４０２において、操作モード切り替え判定部１２ｃが、操作情報入力部１１から入力されたタッチ情報を基に、画面全体操作モードへの切り替え入力を判定する。画面全体操作モードへの切り替え入力を受け付けた場合（ＳＴ４０２においてＹＥＳ）、次のステップＳＴ４０３において、操作モードを遷移させ、画面全体操作モードにおける表示内容、入力方法、通知方法を切り替える。
【００４７】
次のステップＳＴ４０４において、ジェスチャ入力情報判定部１１４が、ユーザにより入力されたタッチ情報からジェスチャ入力に関する情報を識別し、それにより選択値Ａ２を決定する。ユーザは、例えば、２点以上のタッチでダイヤルを回転させるようなジェスチャ（ダイヤルジェスチャ）などで情報を入力する。
【００４８】
ここで、ユーザによるダイヤルジェスチャ操作においてダイヤル回転角度の曲率半径が大きい場合には、ダイヤル入力では無くスライダー入力をしたと、タッチパネル１２０が誤認識する可能性がある。タッチパネル１２０が誤認識した場合、認識されていたダイヤルジェスチャが完了していない内（ジェスチャモードの途中）に、スライダージェスチャに切り替わって認識されてしまう。実施の形態に係るタッチジェスチャ判定方法は、上記のように、あるジェスチャ操作をしている際に、他のジェスチャ操作と誤認識されることを防ぐことを目的とする。
【００４９】
次のステップＳＴ４０５において、ステップＳＴ４０４で決定した選択値Ａ２を操作画面表示部１０９に渡すことにより、表示内容を切り替え、操作内容を反映した画面を表示する。
【００５０】
次のステップＳＴ４０６において、ステップＳＴ４０４で決定した選択値Ａ２を通知部１３に渡すことにより、通知内容を切り替え、操作結果後の状況の通知、操作を促すアナウンスを実施する。
【００５１】
次のステップＳＴ４０７において、操作モード切り替え判定部１２ｃが、操作情報入力部１１から入力されたタッチ情報とタッチの履歴情報から、表示部品操作モードへの切り替え入力を判定する。
【００５２】
切り替え入力を検知した場合（ＳＴ４０７においてＹＥＳ）は、次のステップＳＴ４０８において、表示部品操作モードに遷移し、初期起動時に表示した表示部品の操作画面に移行する。表示部品操作モードへの切り替え入力が無い場合は、切り替え入力を受け付けるまで、操作パネル部１２２に対するタッチ入力を受け付け、そして、それに応じて表示内容及び通知内容を切り替える。
【００５３】
ステップＳＴ４０２の画面切り替えに関する入力判定において、入力内容が画面全体操作モードへの切り替えで無かった場合（ＳＴ４０２においてＮＯ）、次のステップＳＴ７０９において、表示部品に対する入力判定を実施する。
【００５４】
表示部品操作モードにおける表示部品に対する入力の判定は、表示部品の操作範囲にタッチ入力座標が含まれるかにより判定する。表示部品の操作入力を検知した場合、次のステップＳＴ４１０で選択値Ａ２の決定を、操作対象が表示部品でない場合はステップＳＴ４０２で再度タッチ入力の受付を実施する。
【００５５】
次のステップＳＴ４１０において、表示部品入力判定部１２ａが操作情報入力部１１から入力されたタッチ情報を基に、選択値Ａ２を決定する。選択の例として、図３の各表示部品の表示画面の図に示すように、ボタンなど、固有の選択値を割り当てた表示部品を配置しておき、表示部品へのタッチ入力によりその選択値を決定する。
【００５６】
次のステップＳＴ４１１において、ステップＳＴ４１０で決定した選択値Ａ２を表示制御部１４に渡すことにより、表示パネル部１２１の表示内容を切り替え、操作内容に対応する画面を表示する。
【００５７】
次のステップＳＴ４１２において、ステップＳＴ４１０で決定した選択値Ａ２を通知部１３に渡すことにより、通知内容を切り替え、操作結果後の状況の通知、操作を促すアナウンスを実施する。
【００５８】
図６は、実施の形態におけるジェスチャモード判定部１１３によるジェスチャモード逸脱判定の動作を示すフローチャートである。ステップＳＴ５０１で、ジェスチャモード判定部１１３が、ジェスチャモード中であるか否かを判定する。
【００５９】
ジェスチャモード判定部１１３は、例えば、ジェスチャ入力情報判定部１１４で選択値Ａ２を決定した直後は、ジェスチャモード中ではないと判定する。また、ジェスチャモード判定部１１３は、例えば、タッチパネル上でユーザがスクロール中の場合、ダイヤルモード中などの場合は、ジェスチャモード中であると判定する。
【００６０】
ステップＳＴ５０１でジェスチャモード中であると判定された場合（ＳＴ５０１においてＹＥＳ）、次のステップＳＴ５０２において、ジェスチャモード判定部１１３が、第１のジェスチャモードとしてのスライダーモード、第２のジェスチャモードとしてのダイヤルジェスチャモード、又はタッチジェスチャモードの内のどのジェスチャモード中であるかを判定する。
【００６１】
ステップＳＴ５０２において、スライダージェスチャであると判定された場合、ステップＳＴ５０３に進み、第１のパラメータとしてのスライダーモードのパラメータを取得する。ステップＳＴ５０２において、ダイヤルジェスチャであると判定された場合、ステップＳＴ５０４に進み、第２のパラメータとしてのダイヤルモードのパラメータを取得する。ステップＳＴ５０２において、タッチジェスチャであると判定された場合、ステップＳＴ５０５に進み、タッチジェスチャに応じたタッチモードのパラメータを取得する。
【００６２】
スライダーモードのパラメータ、ダイヤルモードのパラメータ、及びタッチモードのパラメータは、タッチジェスチャ操作の予め定められた時間における移動量、タッチジェスチャ操作の速度、曲率、又はタッチ時間のいずれか１つ又は２つ以上の組み合わせに基づいて定められる。
【００６３】
ステップＳＴ５０３からＳＴ５０５でそれぞれのジェスチャモードに応じたパラメータを取得した後、次のステップＳＴ５０６に進み、ステップＳＴ５０２においてジェスチャモードの種類が判定されてから所定時間が経過したかを判定する。所定時間が経過した場合（ステップＳＴ５０６においてＹＥＳ）、次のステップＳＴ５０７に進み、取得したジェスチャモードにおけるパラメータを用いて、ジェスチャが逸脱したか否かを判定するモード逸脱判定を行う。
【００６４】
ステップＳＴ５０１でジェスチャモード中でないと判定されると（ＳＴ５０１においてＮＯ）、処理はステップＳＴ５０８に進み、第３のパラメータとしてのモード中以外のパラメータ１１２を取得し、次のステップＳＴ５０９でモード逸脱判定を行う。
【００６５】
《２》効果
以上のように、実施の形態に係るタッチパネル入力装置１００によれば、ジェスチャモード判定部１１３により実行中のジェスチャモードの種類を判定し、判定されたジェスチャモードの種類に応じたパラメータを取得し、取得したパラメータを用いてモード逸脱判定を行う。これにより、あるモードでの操作中に、他のモードと誤認識されることを防ぐことができ、ジェスチャでの入力操作が容易になり、ユーザの操作性が向上する。
【００６６】
実施の形態に係るタッチパネル入力装置１００によれば、あるモードに入った後は、所定時間以上はそのモードを維持し、その後モード逸脱判定を行う。これにより、あるモードでの操作中に意図せず当該モードから逸脱することを防ぐことができる。
【符号の説明】
【００６７】
１１  操作情報入力部、  １２  操作判定部、  １２ａ  表示部品入力判定部、  １２ｂ  画面全体入力判定部、  １３  通知部、  １４  表示制御部、  １００  タッチパネル入力装置、  １１０  タッチジェスチャ判定装置、  １１１  モード中のパラメータ、  １１１ａ  スライダーモードのパラメータ、  １１１ｂ  ダイヤルモードのパラメータ、  １１２  モード中以外のパラメータ、  １１３  ジェスチャモード判定部、  １１４  ジェスチャ入力情報判定部、  １２０  タッチパネル、  １２１  表示パネル部、  １２２  操作パネル部、  ３０１  プロセッサ、  ３０２  メモリ、  ３０３  スピーカ、  Ａ０  操作情報、  ４０１，４０３  画面例、  ４０５  キャンセル領域、  Ａ１  入力情報、  Ａ２  選択値、  Ａ３  通知情報、  Ａ４  操作判定情報。
【図１】
2018167865.tif 000003
【図２】
2018167865.tif 000004
【図３】
2018167865.tif 000005
【図４】
2018167865.tif 000006
【図５】
2018167865.tif 000007
【図６】
2018167865.tif 000008
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定装置であって、
前記タッチジェスチャ判定装置は、
前記操作情報に基づいて、前記タッチパネルの表示のための出力情報を生成する操作判定部と、
前記出力情報を受け取り、前記タッチパネルに前記操作用画像として前記出力情報に応じた画像を表示させる表示制御部と、を有し、
前記操作判定部は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、
前記画面全体入力判定部は、
前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定部と、
前記スライダーモードに関する第１のパラメータと、前記ダイヤルモードに関し、前記第１のパラメータと異なる第２のパラメータとを有し、
前記ジェスチャモード判定部は、
前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行う
ことを特徴とするタッチジェスチャ判定装置。
【請求項２】
前記モード逸脱判定は、前記タッチジェスチャ操作のジェスチャモードの前記判定から予め定められた時間が経過した後に行われる
ことを特徴とする請求項１に記載のタッチジェスチャ判定装置。
【請求項３】
前記画面全体入力判定部は、ジェスチャモード以外の操作に関するパラメータである第３のパラメータをさらに有し、
前記ジェスチャモード判定部は、
前記ユーザがジェスチャモード中であるか否かの判定を行い、前記ユーザがジェスチャモード中ではないと判定した場合には、前記第３のパラメータを用いてモード逸脱判定を行う
ことを特徴とする請求項１又は２に記載のタッチジェスチャ判定装置。
【請求項４】
前記第１から第３のパラメータは、
前記タッチジェスチャ操作の予め定められた時間における移動量、前記タッチジェスチャ操作の速度、曲率、又はタッチ時間
のいずれか１つ又は２つ以上の組み合わせに基づいて定められる
ことを特徴とする請求項３に記載のタッチジェスチャ判定装置。
【請求項５】
前記操作判定部は、
前記タッチパネルに前記操作用画像として表示された表示部品に対して行われたタッチジェスチャ操作に基づいて入力内容を識別する表示部品入力モードにおいて行われたタッチジェスチャ操作に対応する操作情報から前記出力情報を決定する表示部品入力判定部と、
前記表示部品入力モードと前記画面全体入力モードとを切り替える操作モード切り替え部と、をさらに有する
ことを特徴とする請求項１から４のいずれか１項に記載のタッチジェスチャ判定装置。
【請求項６】
前記タッチパネルから出力された前記操作情報を受け取り、受け取った前記操作情報に対応する入力情報を前記操作判定部に出力する操作情報入力部を更に有する
ことを特徴とする請求項１から５のいずれか１項に記載のタッチジェスチャ判定装置。
【請求項７】
前記出力情報に従う通知内容の通知を発し、又は前記出力情報に従う通知内容の通知信号を出力する通知部を更に有する
ことを特徴とする請求項１から６のいずれか１項に記載のタッチジェスチャ判定装置。
【請求項８】
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定方法であって、
前記タッチジェスチャ判定方法は、
前記操作情報に基づいて、前記タッチパネルの表示のための出力情報を生成する操作判定ステップと、
前記出力情報を受け取り、前記タッチパネルに前記操作用画像として前記出力情報に応じた画像を表示させる表示制御ステップと、を有し、
前記操作判定ステップは、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定ステップを有し、
前記画面全体入力判定ステップは、
前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定ステップを有し、
前記ジェスチャモード判定ステップは、
前記スライダーモードに関する第１のパラメータと、前記ダイヤルモードに関し、前記第１のパラメータと異なる第２のパラメータとから、
前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行う
ことを特徴とするタッチジェスチャ判定方法。
【請求項９】
コンピュータに、
画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するために、
前記操作情報に基づいて、前記タッチパネルの表示のための出力情報を生成する操作判定処理と、
前記出力情報を受け取り、前記タッチパネルに前記操作用画像として前記出力情報に応じた画像を表示させる表示制御処理と、を実行させ、
前記操作判定処理は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定処理を有し、
前記画面全体入力判定処理は、
前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定処理を有し、
前記ジェスチャモード判定処理は、
前記スライダーモードに関する第１のパラメータと、前記ダイヤルモードに関し、前記第１のパラメータと異なる第２のパラメータとから、
前記タッチジェスチャ操作のジェスチャモードが前記スライダーモードであると判定した場合には前記第１のパラメータを用いて前記スライダーモードからの逸脱を判定するモード逸脱判定処理と、前記タッチジェスチャ操作のジェスチャモードが前記ダイヤルモードであると判定した場合には前記第２のパラメータを用いて前記ダイヤルモードからの逸脱を判定するモード逸脱判定処理とを行う
ことを特徴とするタッチジェスチャ判定プログラム。
【請求項１０】
画面に操作用画像を表示し、ユーザのタッチジェスチャ操作を受け付け、前記タッチジェスチャ操作に対応する操作情報を出力するタッチパネルと、
前記操作情報を受け取り、前記操作情報に基づいて前記タッチパネルの表示を制御するタッチジェスチャ判定装置と
を有するタッチパネル入力装置であって、
前記タッチジェスチャ判定装置は、
前記操作情報に基づいて、前記タッチパネルの表示のための出力情報を生成する操作判定部と、
前記出力情報を受け取り、前記タッチパネルに前記操作用画像として前記出力情報に応じた画像を表示させる表示制御部と、を有し、
前記操作判定部は、
前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、
前記画面全体入力判定部は、
前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定部と、
前記スライダーモードに関する第１のパラメータと、前記ダイヤルモードに関し、前記第１のパラメータと異なる第２のパラメータとを有し、
前記ジェスチャモード判定部は、
前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行う
ことを特徴とするタッチパネル入力装置。
【請求項１１】
前記タッチパネルは、
前記タッチジェスチャ操作を受け付け、前記タッチジェスチャ操作に対応する前記操作情報を出力する操作パネル部と、前記操作パネル部と重ねて配置され、前記画面に前記操作用画像を表示する表示パネル部とを有する
ことを特徴とする請求項１０に記載のタッチパネル入力装置。
【手続補正２】
【補正対象書類名】明細書
【補正対象項目名】０００７
【補正方法】変更
【補正の内容】
【０００７】
本発明の一態様に係るタッチジェスチャ判定装置は、画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定装置であって、前記タッチジェスチャ判定装置は、前記操作情報に基づいて、前記タッチパネルの表示のための出力情報を生成する操作判定部と、前記出力情報を受け取り、前記タッチパネルに前記操作用画像として前記出力情報に応じた画像を表示させる表示制御部と、を有し、前記操作判定部は、前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、前記画面全体入力判定部は、前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定部と、前記スライダーモードに関する第１のパラメータと、前記ダイヤルモードに関し、前記第１のパラメータと異なる第２のパラメータとを有し、前記ジェスチャモード判定部は、前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行うことを特徴とする。
【手続補正３】
【補正対象書類名】明細書
【補正対象項目名】０００８
【補正方法】変更
【補正の内容】
【０００８】
本発明の他の態様に係るタッチジェスチャ判定方法は、画面に操作用画像を表示し、ユーザのタッチジェスチャ操作を受け付け、前記タッチジェスチャ操作に対応する操作情報を出力するタッチパネルから、前記操作情報を受け取り、前記操作情報に基づく出力情報を生成するタッチジェスチャ判定方法であって、前記タッチジェスチャ判定方法は、前記操作情報に基づいて、前記タッチパネルの表示のための出力情報を生成する操作判定ステップと、前記出力情報を受け取り、前記タッチパネルに前記操作用画像として前記出力情報に応じた画像を表示させる表示制御ステップと、を有し、前記操作判定ステップは、前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定ステップを有し、前記画面全体入力判定ステップは、前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定ステップを有し、前記ジェスチャモード判定ステップは、前記スライダーモードに関する第１のパラメータと、前記ダイヤルモードに関し、前記第１のパラメータと異なる第２のパラメータとから、前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行うことを特徴とする。
【手続補正４】
【補正対象書類名】明細書
【補正対象項目名】０００９
【補正方法】変更
【補正の内容】
【０００９】
本発明の他の態様に係るタッチパネル入力装置は、画面に操作用画像を表示し、ユーザのタッチジェスチャ操作を受け付け、前記タッチジェスチャ操作に対応する操作情報を出力するタッチパネルと、前記操作情報を受け取り、前記操作情報に基づいて前記タッチパネルの表示を制御するタッチジェスチャ判定装置とを有するタッチパネル入力装置であって、前記タッチジェスチャ判定装置は、前記操作情報に基づいて、前記タッチパネルの表示のための出力情報を生成する操作判定部と、前記出力情報を受け取り、前記タッチパネルに前記操作用画像として前記出力情報に応じた画像を表示させる表示制御部と、を有し、前記操作判定部は、前記タッチパネルの画面全体に対して行われたタッチジェスチャ操作に基づいて入力内容を識別する画面全体入力モードにおいて行われたタッチジェスチャ操作に対応する操作情報から前記出力情報を決定する画面全体入力判定部を有し、前記画面全体入力判定部は、前記タッチジェスチャ操作のジェスチャモードが前記ユーザの指を前記タッチパネルに接触させたまま滑らせるように動かすスライダージェスチャのジェスチャモードであるスライダーモードであるか、前記指の２点以上のタッチによりダイヤルを回転させるように操作するダイヤルジェスチャのジェスチャモードであるダイヤルモードであるかを判定するジェスチャモード判定部と、前記スライダーモードに関する第１のパラメータと、前記ダイヤルモードに関し、前記第１のパラメータと異なる第２のパラメータとを有し、前記ジェスチャモード判定部は、前記タッチジェスチャ操作のジェスチャモードが前記スライダーモードであると判定した場合には前記第１のパラメータを用いて前記スライダーモードからの逸脱を判定するモード逸脱判定を行い、前記タッチジェスチャ操作のジェスチャモードが前記ダイヤルモードであると判定した場合には前記第２のパラメータを用いて前記ダイヤルモードからの逸脱を判定するモード逸脱判定を行うことを特徴とする。
【国際調査報告】
2018167865.tif 000009
2018167865.tif 000010
2018167865.tif 000011
2018167865.tif 000012